【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
凹状の内面を有する弧状レースウェイと、
前記弧状レースウェイの前記内面に対向するロータであり、前記ロータは前記弧状レースウェイに対して回転可能であり、前記ロータは、前記ロータの回転軸が前記凹状の内面から第１距離だけ離間したポンプ位置と、前記ロータの前記回転軸が前記凹状の内面から前記第１距離より大きい第２距離だけ離間したチューブローディング位置との間で前記弧状レースウェイに対して動くように構成される、ロータと、
前記ロータに結合されて前記ロータを回転させるモータと、
前記ロータ上に配列されて、前記ロータが前記ポンプ位置にあるとき、前記ロータと前記弧状レースウェイとの間に配置されたチューブに接触する１又は複数のローラと、
前記ロータを支持するマウントと、
前記マウントに結合されて、前記ポンプ位置と前記チューブローディング位置との間で前記マウントおよび前記ロータを少なくとも部分的に回転させるように構成されたローディング機構と、
を備え、
前記ローディング機構は、前記ロータを前記弧状レースウェイの前記内面に向けて動かし、これによって前記ロータを前記ポンプ位置に動かし、且つ、前記ロータを前記チューブローディング位置に向けて動かすように構成される、
ポンプ。
【請求項２】
前記弧状レースウェイの前記凹状の内面は、１８０度と２００度との間の円弧を通って延在する、請求項１に記載のポンプ。
【請求項３】
前記１又は複数のローラは、
前記ロータ上の少なくとも１つの駆動ローラであり、円柱外面を含み、前記円柱外面は、前記ロータが前記ポンプ位置内にあって回転されるときに前記ロータと前記弧状レースウェイとの間に配置されるチューブを付勢するように構成される、少なくとも１つの駆動ローラと、
前記ロータ上の少なくとも１つのガイドローラであり、円柱外面と、前記ガイドローラの前記円柱外面を超えて延在するそれぞれの外縁を定める上部及び下部フランジとを含む、少なくとも１つのガイドローラと
を有し、
前記ロータと前記弧状レースウェイとの間に配置されるチューブは、前記ロータが前記ポンプ位置内にあって回転されるとき、前記上部及び下部フランジの間で前記ガイドローラの前記円柱外面上で受けられる、請求項１又は２に記載のポンプ。
【請求項４】
複数の駆動ローラと複数のガイドローラを更に備える、請求項３に記載のポンプ。
【請求項５】
ちょうど２つの駆動ローラと、ちょうど２つのガイドローラとを更に備える、請求項３又は４に記載のポンプ。
【請求項６】
前記マウントは、前記モータ及び前記ロータを支持する、請求項１から５のいずれか一項に記載のポンプ。
【請求項７】
前記マウントは、前記ロータが前記ポンプ位置にあるときに前記弧状レースウェイに平行となり、前記マウントの平面は、前記ロータが前記チューブローディング位置にあるときに前記弧状レースウェイの底面により定められる平面に対して斜めに角度付けられる、請求項１から６のいずれか一項に記載のポンプ。
【請求項８】
前記ロータは、少なくとも１つのローラが予め定められた位置にある少なくとも１つの角度位置に停止するのを妨げられ、
前記弧状レースウェイの円弧は、第１の円弧の端部と第２の円弧の端部とを含み、前記ロータが停止するのを妨げられる前記角度位置に対応する前記少なくとも１つのローラの前記予め定められた位置は、前記第１の円弧の端部または前記第２の円弧の端部のいずれかにある、請求項１から７のいずれか一項に記載のポンプ。
【請求項９】
前記モータを制御するように構成されるコントローラと、
前記モータの角度位置をセンシングし、前記コントローラにそれを示す信号を生成するための角度位置センサと、
を更に備え、
前記コントローラは、前記信号に基づき、前記弧状レースウェイの第１の端部または第２の端部において少なくとも１つのローラが予め定められた位置にある角度位置に前記ロータが停止するのを妨げるように構成される、請求項１から８のいずれか一項に記載のポンプ。
【請求項１０】
丸くない外縁を有する蠕動ポンプロータを提供する段階と、
それぞれが前記蠕動ポンプロータ上で前記外縁に隣接する複数のローラを提供する段階と、
レースウェイに対して前記蠕動ポンプロータを回転させて、前記レースウェイと前記蠕動ポンプロータとの間に配置されるチューブを通じて流体を付勢する段階と、
前記蠕動ポンプロータのマウントに結合されたローディング機構を制御し、前記マウントを少なくとも部分的に回転させ、これにより、ポンプ位置とチューブローディング位置との間で前記蠕動ポンプロータを動かす段階と
を備え、
前記ローディング機構は、前記蠕動ポンプロータを前記レースウェイに向けて動かすことで前記ポンプ位置を確立し、且つ、前記蠕動ポンプロータを前記レースウェイから離れるように動かすことで前記チューブローディング位置を確立する、
方法。
【請求項１１】
レースウェイと、
前記レースウェイから離間されるロータであり、前記ロータは前記レースウェイに対して回転可能であり、前記ロータは、前記ロータの回転軸が前記レースウェイから第１距離だけ離間したポンプ位置と、前記ロータの前記回転軸が前記レースウェイから前記第１距離より大きい第２距離だけ離間したチューブローディング位置との間で前記レースウェイに対して動くように構成される、ロータと、
前記ロータを回転させて、前記レースウェイと前記ロータとの間に配置されるチューブを通じて流体を付勢するモータと、
前記ロータに結合されて、前記ロータを前記ポンプ位置および前記チューブローディング位置の間で旋回させるローディング機構と、
を備え、
前記ロータは、前記ロータが前記ポンプ位置にあるときに前記レースウェイに平行な平面を定め、前記ロータによって定められる前記平面は、前記ロータが前記チューブローディング位置にあるときに前記レースウェイの底面により定められる平面に対して斜めに角度付けられ又は直交し、このとき、前記ロータの一方の側は前記ロータの他方の側に比べて高い、
ポンプアセンブリ。
【請求項１２】
前記レースウェイは少なくとも１８０度の円弧を通って延在する内面を有し、前記円弧は中点を定め、前記ロータは前記レースウェイの前記内面に対向する、請求項１１に記載のポンプアセンブリ。
【請求項１３】
前記レースウェイの前記内面は、１８０度と２００度との間の円弧を通って延在する、請求項１２に記載のポンプアセンブリ。
【請求項１４】
前記円弧は、第１の円弧の端部と第２の円弧の端部とを含み、前記ロータが停止するのを妨げられる予め定められた角度位置は、前記第１の円弧の端部または前記第２の円弧の端部のいずれかと並列されている、前記ロータ上の１つのローラの位置に対応する、請求項１３に記載のポンプアセンブリ。
【請求項１５】
前記モータを制御して、前記ロータが１又は複数の予め定められた角度位置に停止するのを自動的に妨げるよう構成されるコントローラを更に備える、請求項１１から１４の何れか一項に記載のポンプアセンブリ。
【請求項１６】
前記ロータ上の少なくとも１つの駆動ローラであり、円柱外面を含み、前記円柱外面を超えて延在する外縁を含むフランジを有さず、前記円柱外面は、前記ロータと前記レースウェイとの間に配置される前記チューブを付勢するように構成される、少なくとも１つの駆動ローラと、
前記ロータ上の少なくとも１つのガイドローラであり、円柱外面と、前記ガイドローラの前記円柱外面を超えて延在するそれぞれの外縁を定める上部及び下部フランジとを含み、これにより、前記ロータと前記レースウェイとの間に配置される前記チューブは、前記上部及び下部フランジの間で前記ガイドローラの前記円柱外面上で受けられることが可能となる、少なくとも１つのガイドローラと
を更に備える、請求項１１から１５の何れか一項に記載のポンプアセンブリ。
【請求項１７】
前記ロータ上の複数の駆動ローラと複数のガイドローラとを更に備える、請求項１１から１６のいずれか一項に記載のポンプアセンブリ。
【請求項１８】
ちょうど２つの駆動ローラと、ちょうど２つのガイドローラとを更に備える、請求項１１から１７のいずれか一項に記載のポンプアセンブリ。
【請求項１９】
前記モータおよび前記ロータを支持するモータマウントを更に備え、前記ローディング機構は、前記モータマウントに結合され、前記モータマウントを動かしてそれにより前記ロータを前記ポンプ位置と前記チューブローディング位置との間で動かす、請求項１１から１８の何れか一項に記載のポンプアセンブリ。
【請求項２０】
前記モータマウントは、前記ロータが前記ポンプ位置にあるときに前記レースウェイに平行となり、前記モータマウントの平面は、前記ロータが前記チューブローディング位置にあるときに前記レースウェイの底面により定められる平面に対して斜めに角度付けられる、請求項１９に記載のポンプアセンブリ。
【請求項２１】
患者の体温調節システムであって、
前記患者の体温調節システムを通じて熱交換流体をポンピングするポンプアセンブリを備え、
前記ポンプアセンブリは、
第１の円弧の端部と第２の円弧の端部とを含む円弧を通って延在する表面を含む弧状レースウェイを有するレースウェイと、
前記レースウェイから離間したロータと、
前記ロータを回転させて、前記レースウェイと前記ロータとの間に配置されるチューブを通じて流体を付勢するように構成されたモータと、
プロセッサを含むコントローラと、
を備え、
前記プロセッサは、前記ロータが１又は複数の予め定められた角度位置に停止するのを自動的に妨げるよう構成され、前記１又は複数の予め定められた角度位置は、少なくとも１つのローラが、前記第１の円弧の端部または前記第２の円弧の端部に隣接して、チューブローディングおよびチューブアンローディングと干渉する位置であり、または、
前記プロセッサは、少なくとも１つのローラが前記第１の円弧の端部または前記第２の円弧の端部に隣接しない非臨界角度位置に前記ロータを停止させるよう前記モータを制御し、チューブローディングおよびチューブアンローディングと干渉することを回避するように構成される、
患者の体温調節システム。
【請求項２２】
前記レースウェイは、少なくとも１８０度の円弧を通って延在する内面を含む、請求項２１に記載の患者の体温調節システム。
【請求項２３】
前記円弧は、中点を定め、前記ロータは前記レースウェイの前記内面に対向する、請求項２２に記載の患者の体温調節システム。
【請求項２４】
前記ロータは、前記レースウェイに対して回転可能であり、前記モータを支持するモータマウントは、前記レースウェイに対して動くように構成され、これにより、前記ロータがポンプ位置およびチューブローディング位置の間を動くことを許容する、請求項２３に記載の患者の体温調節システム。
【請求項２５】
前記ポンプ位置は、前記ロータの回転軸が前記中点から第１距離だけ離間している位置を含み、前記チューブローディング位置は、前記ロータの前記回転軸が前記中点から前記第１距離より大きい第２距離だけ離間している位置を含む、
請求項２４に記載の患者の体温調節システム。
【請求項２６】
患者の体温調節システムを制御する方法であって、
蠕動ポンプのロータを回転させる段階であり、前記ロータは、レースウェイに対して回転することで、前記レースウェイと前記ロータとの間に配置されるチューブを通じて流体を付勢し、前記レースウェイは、第１の円弧の端部と第２の円弧の端部とを含む円弧を通って延在する表面を含む、段階と、
前記ロータが１又は複数の予め定められた角度位置に停止するのを自動的に妨げる段階であり、前記１又は複数の予め定められた角度位置は、少なくとも１つのローラが、前記第１の円弧の端部または前記第２の円弧の端部に隣接して、チューブローディングおよびチューブアンローディングと干渉する位置である、段階、または、
少なくとも１つのローラが前記第１の円弧の端部または前記第２の円弧の端部に隣接しない非臨界角度位置に前記ロータを停止させるようモータを制御し、チューブローディングおよびチューブアンローディングと干渉することを回避する段階、と
を備える、方法。
【請求項２７】
前記レースウェイは、少なくとも１８０度の円弧を通って延在する内面を含む、請求項２６に記載の方法。
【請求項２８】
前記円弧は、第１の円弧の端部と第２の円弧の端部とを含み、前記１又は複数の予め定められた角度位置は、前記第１の円弧の端部または前記第２の円弧の端部のいずれかに対応する、請求項２７に記載の方法。
【請求項２９】
前記ロータは、
少なくとも１つの駆動ローラであり、円柱外面を含み、前記円柱外面を超えて延在する外縁を含むフランジを有さず、前記円柱外面の少なくとも一部は、前記ロータと前記レースウェイとの間に配置される前記チューブを付勢するように構成される、少なくとも１つの駆動ローラと、
少なくとも１つのガイドローラであり、円柱外面と、前記ガイドローラの前記円柱外面を超えて延在するそれぞれの外縁を定める上部及び下部フランジとを含み、これにより、前記ロータと前記レースウェイとの間に配置される前記チューブは、前記上部及び下部フランジの間で前記ガイドローラの前記円柱外面上で受けられることが可能となる、少なくとも１つのガイドローラと
を含む、請求項２６から２８の何れか一項に記載の方法。
【請求項３０】
前記モータの角度位置をセンシングする段階と、
前記少なくとも１つの駆動ローラが前記レースウェイに対して予め定められた位置にある前記角度位置に前記ロータが停止することを妨げる段階と
を更に備える、請求項２９に記載の方法。
【手続補正２】
【補正対象書類名】明細書
【補正対象項目名】発明の名称
【補正方法】変更
【補正の内容】
【発明の名称】ポンプ、方法、ポンプアセンブリ、および、患者の体温調節システム